(57)【要約】【課題】トレイに原稿が載置されているか否かをより確実に検知することが可能な自動原稿給紙装置を提供する。【解決手段】自動原稿給紙装置１は、トレイ１０と、トレイ１０上で原稿の搬送方向Ｆに直交しつつ載置面１１と平行に延び、原稿を搬送するように回転駆動される支軸２０と、支軸２０に揺動可能に設けられたホルダ３０と、搬送方向Ｆの上流側でホルダ３０に回転可能に設けられ、支軸２０によって従動される給紙ローラ４０と、ホルダ３０内の搬送方向Ｆの下流側で支軸２０と一体回転可能に設けられた分離ローラ５０と、トレイ１０から上方に突出し、載置面１１上の原稿と当接して変位するアクチュエータ７０を有し、トレイ１０上の原稿を検知する検知手段６０とを備える。ホルダ３０の搬送方向Ｆに直交する一方側と他方側とには第１、２当接部３１、３２が設けられ、アクチュエータ７０は第１、２当接部３１、３２の間に位置している。【選択図】図６
2008308257.tif 000002
【特許請求の範囲】
【請求項１】
載置面に原稿が載置されるトレイと、
前記トレイ上で前記原稿の搬送方向に直交しつつ前記載置面と平行に延び、前記原稿を搬送するように回転駆動される支軸と、
前記支軸に揺動可能に設けられたホルダと、
前記搬送方向の上流側で前記ホルダに回転可能に設けられ、前記支軸によって従動される給紙ローラと、
前記ホルダ内の前記搬送方向の下流側で前記支軸と一体回転可能に設けられた分離ローラと、
前記トレイに前記原稿が載置されているか否かを検知する検知手段とを備え、
前記検知手段は、前記トレイから上方に突出し、前記載置面上の前記原稿と当接して変位するアクチュエータを有し、
前記ホルダ又は前記給紙ローラの前記搬送方向に直交する一方側には第１当接部が設けられ、前記ホルダ又は前記給紙ローラの前記搬送方向に直交する他方側には第２当接部が設けられ、
前記アクチュエータは前記第１当接部と前記第２当接部との間に位置していることを特徴とする自動原稿給紙装置。
【請求項２】
前記第１当接部及び前記第２当接部は、前記給紙ローラの前記搬送方向に直交する両側端より外側に位置するように前記ホルダに設けられ、
前記アクチュエータは、前記給紙ローラの前記第１当接部側の側端と前記第１当接部との間に配設されている請求項１記載の自動原稿給紙装置。
【請求項３】
前記アクチュエータは、前記分離ローラの前記第１当接部側の側端と前記給紙ローラの前記第１当接部側の側端との間に配設されている請求項２記載の自動原稿給紙装置。
【請求項４】
前記分離ローラの前記第２当接部側の側端に駆動ギヤが固定され、前記給紙ローラの前記第２当接部側の側端に前記駆動ギヤにより駆動される従動ギヤが固定され、
前記アクチュエータは前記給紙ローラの前記第１当接部側に位置している請求項１乃至３のいずれか１項記載の自動原稿給紙装置。
【発明の詳細な説明】
【技術分野】
【０００１】
本発明は自動原稿給紙装置に関する。
【背景技術】
【０００２】
特許文献１に従来の自動原稿給紙装置が開示されている。この自動原稿給紙装置は、原稿読取装置を具備する画像形成装置等に適用されるものであり、載置面に原稿が載置されるトレイを備えている。
【０００３】
また、この自動原稿給紙装置は、載置面に載置された原稿を原稿読取装置に１枚ずつ給紙するため、支軸と、ホルダと、給紙ローラと、分離ローラとを備えている（特許文献１の図２参照）。
【０００４】
支軸は、トレイ上で原稿の搬送方向に直交しつつ載置面と平行に延び、原稿を搬送するように回転駆動されるものである。ホルダは、支軸に揺動可能に設けられたものである。給紙ローラは、搬送方向の上流側でホルダに回転可能に設けられ、支軸によって従動されるものである。分離ローラは、ホルダ内の搬送方向の下流側で支軸と一体回転可能に設けられたものである。
【０００５】
さらに、この自動原稿給紙装置は、トレイに原稿が載置されているか否かを検知する検知手段を備えている（特許文献１の図２〜図４参照）。具体的には、検知手段は、給紙ローラに対して搬送方向の斜め上流側に離れた位置で、トレイから上方に突出するアクチュエータを有している。アクチュエータは、載置面の裏側で揺動可能に軸支されており、載置面上の原稿と当接して変位するようになっている。検出手段は、トレイに載置された原稿の重みによりアクチュエータが下方に変位するのをセンサで感知して、トレイに原稿が載置されているか否かを検知するようになっている。
【０００６】
このような構成である従来の自動原稿給紙装置は、トレイの載置面上に原稿が載置されて、原稿を原稿読取装置に対して給紙するように指示を受けると、検知手段によりトレイに原稿が載置されているか否かを検知する。そして、トレイに原稿が載置されていることを検知した場合には、支軸、給紙ローラ及び分離ローラを回転させて、原稿を１枚ずつ原稿読取装置に給紙するようになっている。
【０００７】
【特許文献１】特開２００７−５１００５号公報
【発明の開示】
【発明が解決しようとする課題】
【０００８】
ところで、上記従来の自動原稿給紙装置では、トレイに原稿が載置されているか否かを確実に検知できない場合がある。
【０００９】
具体的には、自動原稿給紙装置に載置される原稿は、ユーザに折り曲げられた場合や、写真画像印刷等により原稿の片面に広く着色材が印刷された場合等に、反っていることがある。そして、反っている原稿が載置面に載置された場合、アクチュエータが給紙ローラから離れた位置にあるので、原稿がアクチュエータの上方に反り上がってしまい、アクチュエータを下方に変位させることができない場合があり得る。この場合、検知手段は、トレイに原稿が載置されていても、そのことを検知できず、原稿の自動給紙動作を行えない。このような不具合は、原稿が搬送方向に直交する方向に反っている場合に、特に生じ易い。
【００１０】
本発明は、上記従来の実情に鑑みてなされたものであって、トレイに原稿が載置されているか否かをより確実に検知することが可能な自動原稿給紙装置を提供することを解決すべき課題としている。
【課題を解決するための手段】
【００１１】
本発明の自動原稿給紙装置は、載置面に原稿が載置されるトレイと、前記トレイ上で前記原稿の搬送方向に直交しつつ前記載置面と平行に延び、前記原稿を搬送するように回転駆動される支軸と、前記支軸に揺動可能に設けられたホルダと、前記搬送方向の上流側で前記ホルダに回転可能に設けられ、前記支軸によって従動される給紙ローラと、前記ホルダ内の前記搬送方向の下流側で前記支軸と一体回転可能に設けられた分離ローラと、前記トレイに前記原稿が載置されているか否かを検知する検知手段とを備え、
前記検知手段は、前記トレイから上方に突出し、前記載置面上の前記原稿と当接して変位するアクチュエータを有し、前記ホルダ又は前記給紙ローラの前記搬送方向に直交する一方側には第１当接部が設けられ、前記ホルダ又は前記給紙ローラの前記搬送方向に直交する他方側には第２当接部が設けられ、前記アクチュエータは前記第１当接部と前記第２当接部との間に位置していることを特徴とする（請求項１）。
【００１２】
このような構成である本発明の自動原稿給紙装置は、第１当接部と第２当接部とにより、原稿をトレイの載置面に押さえ付けることができる。そして、アクチュエータは、第１当接部と第２当接部との間で原稿と当接する。このため、反っている原稿が載置面に載置されたとしても、アクチュエータは、第１当接部と第２当接部とにより直線状に矯正された状態の原稿と当接して、確実に下方に変位する。このため、検知手段は、トレイに原稿が載置されているか否かを確実に検知することができる。このような作用効果は、原稿が搬送方向に直交する方向に反っている場合でも、確実に生じる。
【００１３】
したがって、本発明の自動原稿給紙装置は、トレイに原稿が載置されているか否かをより確実に検知することができる。
【００１４】
給紙ローラに設けられる第１当接部及び第２当接部としては、例えば、搬送方向に直交する方向の中央に溝が形成された溝付きローラにおいて、溝を挟んだ一方側及び他方側の円筒面が挙げられる。また、この場合、アクチュエータは、給紙ローラの前記溝内に突出するように配設される。なお、この例において、溝付きローラを同じ形状の２分割ローラに置き換えることも可能である。
【００１５】
ホルダに設けられる第１当接部及び第２当接部としては、例えば、ホルダの搬送方向に直交する一方側と他方側との下面側で原稿と摺動しつつ当接する２つの当接面が挙げられる。
【００１６】
ホルダに設けられる第１当接部と、給紙ローラに設けられる第２当接部としては、例えば、ホルダの搬送方向に直交する一方側の下面側で原稿と摺動しつつ当接する当接面と、給紙ローラの円筒面とが挙げられる。
【００１７】
本発明の自動原稿給紙装置において、第１当接部及び第２当接部は、給紙ローラの搬送方向に直交する両側端より外側に位置するようにホルダに設けられ、アクチュエータは、給紙ローラの第１当接部側の側端と第１当接部との間に配設されていることが好ましい（請求項２）。
【００１８】
このような構成である自動原稿給紙装置は、搬送方向から見て、アクチュエータが給紙ローラと重ならない位置に配置されるので、アクチュエータの配置スペースを搬送方向に長くならないようにすることができる。また、給紙ローラの第１当接部側の側端と第１当接部との短い距離の間にアクチュエータを配置できるので、搬送方向に直交する方向に反っている原稿であっても直線状に矯正され易くなる。このため、この自動原稿給紙装置は、本発明の作用効果を確実に奏することができる。
【００１９】
本発明の自動原稿給紙装置において、アクチュエータは、分離ローラの第１当接部側の側端と給紙ローラの第１当接部側の側端との間に配設されていることが好ましい（請求項３）。
【００２０】
この場合、この自動原稿給紙装置は、分離ローラが原稿を載置面に押さえ付ける範囲の上流にアクチュエータを配置できるので、本発明の作用効果をより確実に奏することができる。
【００２１】
本発明の自動原稿給紙装置において、分離ローラの第２当接部側の側端に駆動ギヤが固定され、給紙ローラの第２当接部側の側端に駆動ギヤにより駆動される従動ギヤが固定され、アクチュエータは給紙ローラの第１当接部側に位置していることが好ましい（請求項４）。
【００２２】
この場合、この自動原稿給紙装置は、駆動ギヤ及び従動ギヤを第２当接部側に配置するので、給紙ローラの第１当接部側の側端と第１当接部との間の距離を短くすることができる。このため、この自動原稿給紙装置は、短い距離で接近する両者の間にアクチュエータを配置することができ、本発明の作用効果を一層確実に奏することができる。
【発明を実施するための最良の形態】
【００２３】
以下、本発明を具体化した実施例１、２を図面を参照しつつ説明する。
【実施例１】
【００２４】
図１に示すように、実施例１の自動原稿給紙装置１は、画像形成装置９に適用されるものである。画像形成装置９は一般的にマルチ・ファンクション・プリンタと呼ばれるものであり、画像形成装置９の下方に設けられた画像形成ユニット２と、画像形成ユニット２の上方に設けられた原稿読取ユニット８とを備えている。そして、実施例１の自動原稿給紙装置１は、原稿読取ユニット８の上方に設けられている。以下、各構成要素について説明する。なお、後述する操作パネル８Ｃ側を前側として、図１に示すように画像形成装置９及び自動原稿給紙装置１の前後、左右、上下の各方向を規定している。そして、図２〜図８に示す前後、左右、上下の各方向は、全て図１に示す各方向に対応している。
【００２５】
＜画像形成ユニット＞
画像形成ユニット２は、図１に示すように、略箱型形状をしており、その内部に、画像形成ユニット本体（図示しない）と、画像形成ユニット本体に用紙を供給する給紙カセット及び給紙機構（図示しない）等を有している。画像形成ユニット本体は、電子写真方式、インクジェット方式その他の一般的な画像形成方式を採用する周知の構成である。また、給紙カセット及び給紙機構等も周知の構成である。このため、画像形成ユニット本体、給紙カセット及び給紙機構等の詳細説明は省略する。
【００２６】
画像形成ユニット２の上面側には、奥側（図中、後ろ側）から前面側に向かって、用紙が排紙される排紙トレイ２Ａが凹設されている。そして、画像形成ユニット２は、外部から伝送される画像情報や、後述の原稿読取ユニット８により読み取られた原稿の画像情報に基づいて、画像形成ユニット本体により用紙に画像を形成し、排紙トレイ２Ａに排紙するようになっている。
【００２７】
＜原稿読取ユニット＞
原稿読取ユニット８は、図１に示すように、フラットベッド方式であって、排紙トレイ２Ａの上面を覆いつつ、画像形成ユニット２に載置されるケーシング８Ａを有している。
【００２８】
ケーシング８Ａは、図２に示すように、上方を開放する箱型形状をなしており、内部にイメージセンサ８１が収容されている。そして、ケーシング８Ａの上面は、原稿を載置するためのプラテンガラス８２によって塞がれている。
【００２９】
イメージセンサ８１は、前後方向に複数のフォトダイオードが列設されたライン型のセンサであり、図２に示すように、通常はケーシング８Ａ内の右側に位置しているが、走査機構（図示しない）により左右方向に進退可能とされている。
【００３０】
ケーシング８Ａの上方には、図１及び図２に示すように、プラテンガラス８２を覆う原稿カバー８Ｂが設けられている。原稿カバー８Ｂの上面前端側には、画像形成ユニット２や原稿読取ユニット８を操作するための操作パネル８Ｃが配設され、上面右側には、詳細を後述する自動原稿給紙装置１が配設されている。また、原稿カバー８Ｂの後端部は、ケーシング８Ａの後端部に設けられたヒンジ（図示しない）により揺動可能に軸支されている。そして、ユーザが原稿カバー８Ｂの前端側を上下動させることにより、原稿カバー８Ｂを開閉可能とされている。
【００３１】
このような構成である原稿読取ユニット８では、原稿カバー８Ｂを開いてプラテンガラス８２上に１枚ずつ原稿を載置し、イメージセンサ８１を左右方向に走査させることによって、原稿を１枚ずつ読み取ることが可能となっている。
【００３２】
また、この原稿読取ユニット８は、以下に詳述する自動原稿給紙装置１により、複数枚の原稿を自動的に一枚ずつ原稿搬送経路Ｐ（図２に示す。）に沿って給紙し、イメージセンサ８１の上方を通過させて原稿を読み取ることも可能となっている。
【００３３】
＜自動原稿給紙装置＞
自動原稿給紙装置１は、図２に示すように、トレイ１０と、支軸２０と、ホルダ３０と、給紙ローラ４０と、分離ローラ５０と、検出手段６０と、折り返しローラ２９と、ガイド板２８と、排出ローラ２７と、従動ローラ２９Ａ、２９Ｂ、２７Ａとを備えている
【００３４】
トレイ１０は、図２及び図３に示すように、略平板状のプラスチック成形体であり、その上面側には、原稿が載置される載置面１１が形成されている。トレイ１０の右側端部は、図２に示すように、原稿カバー８Ｂの右側上面に配設されたＡＤＦハウジング１Ａに片持ち支持されており、載置面１１が水平面に対して右側が若干低くなるように傾斜した状態となっている。トレイ１０は、原稿カバー８Ｂの上面に対してある程度離れて上方に位置しており、原稿搬送経路Ｐに沿って給紙された原稿が最終的に原稿カバー８Ｂの上面に排出されるようになっている。
【００３５】
図３に示すように、載置面１１に載置される原稿が搬送される方向Ｆ（図中、左から右へ進む方向。以下、単に「搬送方向」という。）に対して直交する両端側には、対向する１対の幅規制ガイド１１Ａ、１１Ｂが設けられている。幅規制ガイド１１Ａ、１１Ｂは、載置面１１の幅方向（図中、前後方向）の中央を基準として原稿の位置を規制するようになっている。このため、サイズの異なる原稿が載置面１１に載置された場合でも、常に原稿の幅方向の中央が載置面１１の幅方向の中央と一致するようになっている。
【００３６】
図２及び図３に示すように、ＡＤＦハウジング１Ａ内において、トレイ１０の右側端部の上方には、支軸２０と、ホルダ３０と、給紙ローラ４０と、分離ローラ５０とが配設されている。
【００３７】
支軸２０は、原稿の搬送方向Ｆに直交しつつ載置面１１と平行に延びるように配設された金属製の長い円柱軸体である。図３に示すように、支軸２０の前端及び後端は、回転可能にトレイ１０に軸支されている。また、支軸２０の後端は、駆動機構２５により、原稿を搬送方向Ｆに搬送するように回転駆動されるようになっている。
【００３８】
ホルダ３０は、図４〜図６に拡大して示すように、支軸２０の中央に設けられた略箱状のプラスチック成形体である。ホルダ３０の搬送方向Ｆの下流側には、支軸２０が隙間を有して挿通されており、ホルダ３０の搬送方向Ｆの上流側が上下に揺動可能となっている。このため、通常、ホルダ３０の搬送方向Ｆの上流側は、自重により下方に揺動する。
【００３９】
図６に示すように、ホルダ３０の裏面側において、搬送方向Ｆの下流側には、分離ローラ５０が支軸２０の中央に一体回転可能に固定されている。また、搬送方向Ｆの上流側には、給紙ローラ４０が支軸２０と平行な軸回りで回転可能に軸支されている。
【００４０】
給紙ローラ４０は、載置面１１に載置された原稿の最上面に当接して回転することにより、原稿を搬送方向Ｆに給紙するものである。分離ローラ５０は、給紙ローラ４０により給紙される原稿を、トレイ１０側で分離ローラ５０と対向する分離パッド（図示しない）に押し付けながら搬送して１枚ずつに分離するものである。上述したように、ホルダ３０の搬送方向Ｆの上流側が自重により下方に揺動するので、給紙ローラ４０及び分離ローラ５０は、図５及び図７に示すように、載置面１１の幅方向の中央において、載置面１１又は載置面１１に載置された原稿７に当接するようになっている。
【００４１】
また、図６に示すように、ホルダ３０の裏面側において、給紙ローラ４０の搬送方向Ｆに直交する両側端４０Ａ、４０Ｂより外側には、第１当接部３１（図中、後ろ側に位置する。）及び第２当接部３２（図中、前側に位置する。）が形成されている。第１当接部３１及び第２当接部３２は、原稿と摺動しつつ当接するように下方に湾曲した曲面である。上述したように、ホルダ３０の搬送方向Ｆの上流側が自重により下方に揺動するので、第１当接部３１及び第２当接部３２は、図５及び図７に示すように、載置面１１の幅方向の中央において、載置面１１又は載置面１１に載置された原稿７に当接するようになっている。
【００４２】
さらに、図６に示すように、ホルダ３０の裏面側において、給紙ローラ４０の第１当接部３１側の側端４０Ａと、第１当接部３１との間には、後述するアクチュエータ７０の一端７０Ａが収容されるアクチュエータ収容空間３９が凹設されている。
【００４３】
分離ローラ５０の第２当接部３２側の側端５０Ｂには、駆動ギヤ５９が固定されている。また、給紙ローラ４０の第２当接部３２側の側端４０Ｂには、従動ギヤ４９が固定されている。さらに、駆動ギヤ５９と従動ギヤ４９との間には、中間ギヤ４８が配設されている。中間ギヤ４８は、駆動ギヤ５９から従動ギヤ４９に駆動力を伝達するものであり、ホルダ３０に回転可能に軸支されている。このため、分離ローラ５０が支軸２０と一体回転すれば、駆動ギヤ５９、中間ギヤ４８を介して、従動ギヤ４９も同一方向に従動回転する。その結果、給紙ローラ４０は、支軸２０及び分離ローラ５０と同一方向に従動回転するようになっている。
【００４４】
検出手段６０は、トレイ１０に原稿が載置されているか否かを検知するためのものであり、図２に示すように、載置面１１の裏側に配設されたフォトマイクロセンサ６１と、置面１１の裏側で揺動軸７９回りで揺動可能に軸支された略棒状のアクチュエータ７０とを有している。
【００４５】
アクチュエータ７０の一端７０Ａは、図４に拡大して示すように、前後方向で見て略三角形状とされており、通常、トレイ１０に形成された開口７８から上方に突出した状態となっている。開口７８は、図６に示すように、ホルダ３０のアクチュエータ収容空間３９の下方であって、搬送方向Ｆから見て分離ローラ５０の第１当接部３１側の側端５０Ａと、給紙ローラ４０の第１当接部３１側の側端４０Ａとの間に位置するように貫設されている。このため、アクチュエータ７０の一端７０Ａは、アクチュエータ収容空間３９内に突出した状態となっている。
【００４６】
このように配置されるアクチュエータ７０の一端７０Ａは、第１当接部３１と第２当接部３２との間に位置している。また、アクチュエータ７０の一端７０Ａは、給紙ローラ４０の第１当接部３１側の側端４０Ａと、第１当接部３１との間に位置している。さらに、アクチュエータ７０の一端７０Ａは、分離ローラ５０の第１当接部３１側の側端５０Ａと、給紙ローラ４０の第１当接部３１側の側端４０Ａとの間に位置している。アクチュエータ７０の一端７０Ａの配置構成を上記のように規定する理由は、後述するように、検出手段６０の検知をより確実に行えるようにするためである。
【００４７】
このような構成である検知手段６０では、載置面１１上に原稿が載置されると、図７に示すように、アクチュエータ７０の一端７０Ａが原稿７と当接し、原稿７の重みにより下方に変位する。この際、アクチュエータ７０の他端７０Ｂは反対側に揺動して、フォトマイクロセンサ６１の投光経路（図示しない）を遮る。その結果、検知手段６０は、アクチュエータ７０の変位をフォトマイクロセンサ６１により感知して、トレイ１０に原稿が載置されているか否かを検知することが可能となっている。
【００４８】
折り返しローラ２９は、図２及び図３に示すように、原稿搬送経路Ｐの分離ローラ５０より下流側に配設された大径ローラである。そして、折り返しローラ２９は、自身の半径方向外側に配置された従動ローラ２９Ａ、２９Ｂとともに、原稿を略Ｕ字形状に下方に折り返して搬送するようになっている。
【００４９】
ガイド板２８は、図２に示すように、ケーシング８Ａ内の右側端部に位置するイメージセンサ８１の上方に配設され、原稿搬送経路Ｐに沿って搬送される原稿をイメージセンサ８１に接近させるようにガイドするものである。
【００５０】
排出ローラ２７は、図２に示すように、原稿搬送経路Ｐの最下流に配設され、従動ローラ２７Ａとともに、読取が終わった原稿を原稿カバー８Ｂの上面に排出するものである。
【００５１】
このような構成である実施例１の自動原稿給紙装置１では、図７に示すように、載置面１１に原稿７が載置されると、ホルダ３０が自重により下方に揺動して、給紙ローラ４０、分離ローラ５０及びホルダ３０の第１、２当接部３１、３２が原稿７に当接する。この際、アクチュエータ７０の一端７０Ａも原稿７と当接して、原稿７の重みで下方に変位する。
【００５２】
そして、この自動原稿給紙装置１は、原稿７を原稿読取ユニット８に対して給紙するように指示を受けると、検知手段６０により、アクチュエータ７０の一端７０Ａの変位をフォトマイクロセンサ６１で感知して、トレイ１０に原稿が載置されていることを検知する。
【００５３】
次に、この自動原稿給紙装置１は、検知手段６０の検知結果に基づいて、駆動機構２５により、原稿７を搬送するように支軸２０を回転駆動する。これにより、給紙ローラ４０及び分離ローラ５０も同一方向に回転し、トレイ１０の載置面１１に載置された原稿７を１枚ずつ原稿搬送経路Ｐに沿って給紙する。その結果、原稿７は、折り返しローラ２９、従動ローラ２９Ａ、２９Ｂ、及びガイド板２８により搬送され、イメージセンサ８１の上方を通過してイメージセンサ８１に読み取られ、排出ローラ２７及び従動ローラ２７Ａにより原稿カバー８Ｂの上面に排出される。
【００５４】
こうして、原稿読取ユニット８は、自動原稿給紙装置１により、複数枚の原稿を自動的に読み取ることが可能となっている。
【００５５】
ここで、実施例１の自動原稿給紙装置１は、ホルダ３０の搬送方向Ｆに直交する一方側に設けられた第１当接部３１と、他方側に設けられた第２当接部３２とにより、原稿７をトレイ１０の載置面１１に押さえ付けることができる。そして、アクチュエータ７０の一端７０Ａは、第１当接部３１と第２当接部３２との間で原稿７と当接する。このため、図７に示すように、原稿７が載置面１１に載置された場合でも、アクチュエータ７０の一端７０Ａは、第１当接部３１と第２当接部３２とにより直線状に矯正された状態の原稿７と当接して、確実に下方に変位する。このため、検知手段６０は、トレイ１０に原稿７が載置されているか否かを確実に検知することができる。このような作用効果は、搬送方向Ｆに直交する方向に反っている原稿７でも確実に生じる。
【００５６】
したがって、実施例１の自動原稿給紙装置１は、トレイに原稿が載置されているか否かをより確実に検知することができる。
【００５７】
また、この自動原稿給紙装置１において、第１当接部３１及び第２当接部３２は、給紙ローラ４０の搬送方向Ｆに直交する両側端４０Ａ、４０Ｂより外側に位置するようにホルダ３０に設けられ、アクチュエータ７０の一端７０Ａは、給紙ローラ４０の第１当接部３１側の側端４０Ａと第１当接部３１との間に配設されている。このため、この自動原稿給紙装置１は、搬送方向Ｆから見て、アクチュエータ７０の一端７０Ａが給紙ローラ４０と重ならない位置に配置されるので、アクチュエータ７０の配置スペースを搬送方向Ｆに長くならないようにすることができている。また、給紙ローラ４０の第１当接部３１側の側端４０Ａと第１当接部３１との短い距離の間にアクチュエータ７０の一端７０Ａを配置できているので、搬送方向Ｆに直交する方向に反っている原稿７であっても直線状に矯正され易くなっている。このため、この自動原稿給紙装置１は、本発明の作用効果を確実に奏することができる。
【００５８】
さらに、この自動原稿給紙装置１において、アクチュエータ７０の一端７０Ａは、分離ローラ５０の第１当接部３１側の側端５０Ａと、給紙ローラ４０の第１当接部３１側の側端４０Ａとの間に配設されている。このため、この自動原稿給紙装置１は、分離ローラ５０が原稿７を載置面１１に押さえ付ける範囲の上流にアクチュエータ７０を配置できているので、本発明の作用効果をより確実に奏することができる。
【００５９】
また、この自動原稿給紙装置１は、駆動ギヤ５９及び従動ギヤ４９を第２当接部３２側に配置しているので、給紙ローラ４０の第１当接部３１側の側端４０Ａと第１当接部３１との間の距離を短くすることができている。このため、この自動原稿給紙装置１は、短い距離で接近する両者の間にアクチュエータ７０を配置することができており、本発明の作用効果を一層確実に奏することができる。
【実施例２】
【００６０】
実施例２の自動原稿給紙装置は、実施例１の自動原稿給紙装置１の給紙ローラ４０を、図８に示す給紙ローラ２４０に変更するとともに、実施例１の自動原稿給紙装置１のアクチュエータ７０の位置を給紙ローラ２４０の下方に変更したものである。その他の構成は、実施例１の自動原稿給紙装置１と同様である。このため、主に相違点について説明し、、同様の構成については説明を省略する。
【００６１】
実施例２の自動原稿給紙装置において、給紙ローラ２４０は、図８に示すように、搬送方向Ｆに直交する方向（図中、前後方向）の中央に溝２４０Ａが形成された溝付きローラである。
【００６２】
本実施例では、給紙ローラ２４０の溝２４０Ａを挟んだ一方側（図中、後ろ側）の円筒面が第１当接部２３１とされ、他方側（図中、前側）の円筒面が第２当接部２３２とされている。そして、実施例１において第１、２当接部であったものが単なる当接部３１、３２とされている。なお、実施例２では、当接部３１、３２をなくしてもかまわない。
【００６３】
トレイ１０の開口７８は、給紙ローラ２４０の溝２４０Ａの下方に貫設されている。アクチュエータ７０の一端７０Ａは、トレイ１０の開口７８から上方に突出し、溝２４０Ａ内に位置する状態となっている。
【００６４】
このような構成である実施例２の自動原稿給紙装置では、第１当接部２３１と第２当接部２３２とがアクチュエータ７０の一端７０Ａにかなり短い距離で接近している。このため、実施例２の自動原稿給紙装置は、実施例１の自動原稿給紙装置１と同様の作用効果をさらに確実に奏することができる。
【００６５】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００６６】
本発明は、原稿読取装置並びに原稿読取装置を具備する画像形成装置、複写機、ファクシミリ及び複合機等に利用可能である。
【図面の簡単な説明】
【００６７】
【図１】実施例１の自動原稿給紙装置が適用される画像形成装置の斜視図である。
【図２】実施例１の自動原稿給紙装置に係り、原稿読取ユニットの概略断面図である。
【図３】実施例１の自動原稿給紙装置に係り、図１の矢視Ｚ方向から見た自動原稿給紙装置のトレイ、支軸、ホルダ、給紙ローラ、分離ローラ及びアクチュエータ等を示す斜視図である。
【図４】実施例１の自動原稿給紙装置に係り、図３の部分拡大斜視図である。
【図５】実施例１の自動原稿給紙装置に係り、図４の矢視Ｙ方向から見たトレイ、支軸、ホルダ、給紙ローラ、分離ローラ及びアクチュエータ等を示す概略断面図である。
【図６】実施例１の自動原稿給紙装置に係り、支軸、ホルダ、給紙ローラ及び分離ローラ等を示す裏面図である。
【図７】実施例１の自動原稿給紙装置に係り、図４の矢視Ｙ方向から見たトレイ、支軸、ホルダ、給紙ローラ、分離ローラ及びアクチュエータ等を示す概略断面図（トレイに原稿が載置された状態）である。
【図８】実施例２の自動原稿給紙装置に係り、図４の矢視Ｙ方向から見たトレイ、支軸、ホルダ、給紙ローラ、分離ローラ及びアクチュエータ等を示す概略断面図である。
【符号の説明】
【００６８】
１…自動原稿給紙装置
７…原稿
１１…載置面
１０…トレイ
２０…支軸
３０…ホルダ
３１、２３１…第１当接部
３２、２３２…第２当接部
４０、２４０…給紙ローラ
４０Ａ、４０Ｂ…給紙ローラの側端（４０Ａ…給紙ローラの第１当接部側の側端、４０Ｂ…給紙ローラの第２当接部側の側端）
４９…従動ギヤ
５０…分離ローラ
５０Ａ、５０Ｂ…分離ローラの側端（５０Ａ…分離ローラの第１当接部側の側端、５０Ｂ…分離ローラの第２当接部側の側端）
５９…駆動ギヤ
６０…検知手段
７０…アクチュエータ
７０Ａ…アクチュエータの一端
Ｆ…原稿の搬送方向
【図１】
2008308257.tif 000003
【図２】
2008308257.tif 000004
【図３】
2008308257.tif 000005
【図４】
2008308257.tif 000006
【図５】
2008308257.tif 000007
【図６】
2008308257.tif 000008
【図７】
2008308257.tif 000009
【図８】
2008308257.tif 000010